(57)【特許請求の範囲】
【請求項１】
気体フローを調節して前記気体フローに関連する圧力変化率の測定を改善する装置であって、
内部体積に特徴付けられた内部部分と前記気体フローを受け取る入口ポートとを有する測定チャンバと、
前記測定チャンバの前記内部部分の中の圧力を感知して、前記測定チャンバの中の圧力に対応する圧力信号を生じる圧力センサと、
前記圧力信号を受け取り、あるサンプリング周波数でサンプリングし、フィルタリングすることにより、サンプリングされた圧力信号を生じ、前記サンプリングされた圧力信号の時間導関数を計算する信号プロセッサと、
前記入口ポートに配置された入口ダンパであって、前記気体フローが前記入口ポートを通過する前には少なくとも部分的にこの入口ダンパを通過して前記測定チャンバの中へ流れるように構成され調整されていて、前記測定チャンバの中の圧力変動の時定数τをコンダクタンスＣを含むダンパ伝達関数に従って修正する入口ダンパと、
を備えており、前記内部体積と前記ダンパ伝達関数とは、前記測定チャンバの中の圧力変動に関連する周波数を前記サンプリング周波数の所定の一部分に制限するように選択されることを特徴とする装置。
【請求項２】
請求項１記載の装置において、前記圧力センサは前記測定チャンバの前記内部部分の中に配置されていることを特徴とする装置。
【請求項３】
請求項１記載の装置において、前記圧力センサは、前記入口ポートに配置され、入口フロー圧力に対応する圧力信号を生じることを特徴とする装置。
【請求項４】
請求項１記載の装置において、前記ダンパ伝達関数は、（ｉ）前記入口ダンパの両端での圧力低下と（ｉｉ）前記入口ダンパを通過する気体フローとの間の線形の関係を記述することを特徴とする装置。
【請求項５】
請求項１記載の装置において、前記ダンパ伝達関数は、（ｉ）前記入口ダンパの両端での圧力低下と（ｉｉ）前記入口ダンパを通過する気体フローとの間の非線形の関係を記述することを特徴とする装置。
【請求項６】
請求項１記載の装置において、前記サンプリング周波数の所定の一部分は、前記サンプリングされた圧力信号の時間導関数を計算する信号プロセッサと関連する性能限度に対応することを特徴とする装置。
【請求項７】
請求項１記載の装置において、前記サンプリング周波数の所定の一部分は約０．４であることを特徴とする装置。
【請求項８】
請求項１記載の装置において、
前記入口ポートを通過する気体フローを測定し前記入口ポートを通過する気体フローに対応するフロー信号を生じるフロー・センサと、
前記測定チャンバ上にあり出口気体フローを通過させる出口ポートと、
前記出口ポートに配置され前記出口気体フローを制御する弁と、
を更に備えており、前記信号プロセッサは、（ｉ）前記フロー信号を前記サンプリングされた圧力信号の時間導関数と組み合わせて前記出口気体フローの評価を生じ、（ｉｉ）前記弁を前記評価の関数として制御して、実質的に一定の出口気体フローを生じることを特徴とする装置。
【請求項９】
請求項８記載の装置において、前記ダンパは前記フロー・センサの前に配置されることを特徴とする装置。
【請求項１０】
請求項８記載の装置において、前記ダンパは前記フロー・センサの後であり前記圧力センサの前に配置されることを特徴とする装置。
【請求項１１】
気体フローを調節して前記気体フローに関連する圧力変化率の測定を改善する方法であって、
内部体積に特徴付けられた内部部分と前記気体フローを受け取る入口ポートとを有する測定チャンバを提供するステップと、
前記測定チャンバの前記内部部分の中の圧力を感知して、前記測定チャンバの中の圧力に対応する圧力信号を生じるステップと、
前記圧力信号をあるサンプリング周波数でサンプリングし、フィルタリングすることにより、サンプリングされた圧力信号を生じ、前記サンプリングされた圧力信号の時間導関数を計算するステップと、
前記入口ポートに配置された入口ダンパを介して前記気体フローを減衰し、前記測定チャンバの中の圧力変動の時定数τをコンダクタンスＣを含むダンパ伝達関数に従って修正するステップと、
前記測定チャンバの中の圧力変動に関連する周波数を前記サンプリング周波数の所定の一部分に制限するように、前記内部体積と前記ダンパ伝達関数とを選択するステップと、
を含むことを特徴とする方法。
【請求項１２】
請求項１１記載の方法において、前記圧力センサを前記測定チャンバの前記内部部分の中に配置するステップを更に含むことを特徴とする方法。
【請求項１３】
請求項１１記載の方法において、前記圧力センサを前記入口ポートに配置するステップを更に含み、よって、前記圧力センサが入口フロー圧力に対応する圧力信号を生じるようにすることを特徴とする方法。
【請求項１４】
請求項１１記載の方法において、（ｉ）前記入口ダンパの両端での圧力低下と（ｉｉ）前記入口ダンパを通過する気体フローとの間の線形の関係を記述するダンパ伝達関数を提供するステップを更に含むことを特徴とする方法。
【請求項１５】
請求項１１記載の方法において、（ｉ）前記入口ダンパの両端での圧力低下と（ｉｉ）前記入口ダンパを通過する気体フローとの間の非線形の関係を記述するダンパ伝達関数を提供するステップを更に含むことを特徴とする方法。
【請求項１６】
請求項１１記載の方法において、前記測定チャンバの中の圧力変動に関連する周波数を前記サンプリングされた圧力信号の時間導関数を計算する信号プロセッサと関連する性能限度に対応するサンプリング周波数の所定の一部分に制限するように、前記内部体積と前記ダンパ伝達関数とを選択するステップを更に含むことを特徴とする方法。
【請求項１７】
請求項１１記載の方法において、前記測定チャンバの中の圧力変動に関連する周波数を前記サンプリング周波数の約０．４である前記サンプリング周波数の所定の一部分に制限するように、前記内部体積と前記ダンパ伝達関数とを選択するステップを更に含むことを特徴とする方法。
【請求項１８】
請求項１１記載の方法において、
前記入口ポートを通過する気体フローを測定し前記入口ポートを通過する気体フローに対応するフロー信号を生じるステップと、
前記測定チャンバ上に、出口気体フローを通過させる出口気体ポートを提供するステップと、
前記フロー信号を前記サンプリングされた圧力信号の時間導関数と組み合わせて前記出口気体フローの評価を生じるステップと、
前記出口ポートにおける前記出口気体フローを前記評価の関数として制御して、実質的に一定の出口気体フローを生じるステップと、
を更に含むことを特徴とする方法。
【請求項１９】
請求項１８記載の方法において、前記入口ダンパを前記フロー・センサの前に配置するステップを更に含むことを特徴とする方法。
【請求項２０】
請求項１８記載の方法において、前記入口ダンパを前記フロー・センサの後であり前記圧力センサの前に配置するステップを更に含むことを特徴とする方法。
【発明の詳細な説明】
【関連出願】
【０００１】
この特許出願は、この特許出願と同じ被譲渡人に譲渡されており、「Apparatus and Method for Pressure Fluctuation Insensitive Mass Flow Control」という名称を有する米国特許出願第１０／１７８、７２１号の関連出願である。
【背景技術】
【０００２】
本発明は、質量流量の制御装置に関し、更に詳しくは、フローを調節して感度及び精度を改善する方法及び装置に関する。
図１にブロック図として示されているシステム１０を考察する。このシステム１０は、測定チャンバ１４に結合された入口貯留槽（reservoir）１２を含んでいる。入口貯留槽１２は、入口圧力Ｐｉ（ｔ）によって特徴付けられる。測定チャンバ１４は、入口貯留槽１２は測定チャンバ１４に結合されている入口ポート１６と、内部体積Ｖと、内部圧力Ｐ（ｔ）とによって特徴付けられる。入口フローＱ（ｔ）は、入口ポート１６を通過して、入口貯留槽１２から測定チャンバ１４に流れる。時間の関数としての測定チャンバ１４の中の圧力Ｐ（ｔ）の変化率は、ＰＳＴＰを標準温度及び圧力におけるチャンバ圧力として、次の数式１で与えられる。
【０００３】
【数１】
0004703558.tif 000002
【０００４】
数式１は、書き換えることによって、次のように入口フローを求めることができる。
【０００５】
【数２】
0004703558.tif 000003
【０００６】
従って、入口フローは、チャンバ圧力の時間変化率ｄＰ（ｔ）／ｄｔとチャンバの体積Ｖとの関数として計算することができる。チャンバの体積Ｖは容易に測定可能であり、チャンバ圧力の時間変化率ｄＰ（ｔ）／ｄｔは、デジタル微分方式２０と組み合わされた圧力センサ１８を用いることによって得られる（例えば、S.K. Mitra and J.F. Kaiser, ”Handbook for Digital Signal Processing”, John Wiley & Sons, 1993の１３章を参照のこと）しかし、実際のデジタル微分器２０は、最大サンプリング周波数で圧力データをサンプリングし、サンプリングされたデータをフィルタリングし、そのようにサンプリングされフィルタリングされたデータの時間微分を実行する。そのようなデジタル微分器２０は、図２に示されているように、単に、最大サンプリング周波数の一部よりも小さな周波数を有する圧力変動に対して正確な結果しか生じない。このグラフは、上述した理想的な微分器３０と実際の微分器３２とに関して、圧力変動の正規化された周波数（サンプリング周波数に正規化されている）対する正規化された微分器の出力をプロットしている。実際のデジタル微分器３２は、ほぼ０．４のサンプリング周波数までの周波数に対しては理想的な微分器３０に従うが、圧力変動のそれよりも高い周波数に対しては、理想的な微分器による値から急激に逸脱してしまう。従って、サンプリング周波数の４０％よりも大きな急速な圧力変化は、図１の構成を用いるのでは性格に測定することができない。理想的な微分器からのこの逸脱点を、この出願では、「微分器のカットオフ周波数」と称することにする。
【０００７】
本発明の目的は、従来技術における上述の欠点及び短所を実質的に克服することである。
【発明の開示】
【０００８】
以上の及びそれ以外の目的は本発明によって達成されるのであるが、その１つの側面において、本発明は、気体フローを調節して前記気体フローに関連する圧力変化率の測定を改善する装置で構成される。この装置は、内部体積に特長付けられた内部部分と前記気体フローを受け取る入口ポートとを有する測定チャンバを含む。この装置は、更に、前記測定チャンバの前記内部部分の中の圧力を感知して、前記測定チャンバの中の圧力に対応する圧力信号を生じる圧力センサを含む。この装置は、更に、前記圧力信号を受け取り、あるサンプリング周波数でサンプリングし、フィルタリング及びサンプリングされた圧力信号を生じる信号プロセッサを含む。この信号プロセッサは、更に、前記サンプリングされた圧力信号の時間導関数を計算する。この装置は、更に、前記入口ポート配置された入口ダンパであって、前記気体フローは前記入口ポートを通過する前に少なくとも部分的にはこの入口ダンパを通過して前記測定チャンバの中へ流れるように構成され調整されている入口ダンパを含む。この入口ダンパは、前記気体フローの１又は複数の特性をこの入口ダンパの両端の間の圧力低下の関数としてダンパ伝達関数に従って修正する。前記内部体積と前記ダンパ伝達関数とは、前記測定チャンバの中の圧力の変動に関連する周波数を前記サンプリング周波数の所定の分数（一部分、一部、fraction）に制限するように選択される。
【０００９】
別の実施例では、前記圧力センサは前記測定チャンバの前記内部部分の中に配置されている。
別の実施例では、前記圧力センサは、前記入口ポートに配置され、入口フロー圧力に対応する圧力信号を生じる。
【００１０】
別の実施例では、前記ダンパ伝達関数は、（ｉ）前記入口ダンパの両端での圧力低下と（ｉｉ）前記入口ダンパを通過する気体フローとの間の線形の関係を記述する。
別の実施例では、前記ダンパ伝達関数は、（ｉ）前記入口ダンパの両端での圧力低下と（ｉｉ）前記入口ダンパを通過する気体フローとの間の非線形の関係を記述する。
【００１１】
別の実施例では、前記サンプリング周波数の所定の分数は、前記サンプリングされた圧力信号の時間導関数を計算する信号プロセッサと関連する性能限度に対応する。
別の実施例では、前記サンプリング周波数の所定の分数は約０．４である。
【００１２】
別の実施例では、この装置は、前記入口ポートを通過する気体フローを測定し前記入口ポートを通過する気体フローに対応するフロー信号を生じるフロー・センサを更に含む。この装置は、更に、前記測定チャンバ上にあり出口気体フローを通過させる出口ポートと、前記出口ポートに配置され前記出口気体フローを制御する弁と、を含む。前記信号プロセッサは、（ｉ）前記フロー信号を前記サンプリングされた圧力信号の時間導関数と組み合わせて前記出口気体フローの評価を生じ、（ｉｉ）前記弁を前記評価の関数として制御して、実質的に一定の出口気体フローを生じる。
【００１３】
別の実施例では、前記ダンパは、前記フロー・センサの前に配置される。
別の実施例では、前記ダンパは前記フロー・センサの後であり前記圧力センサの前に配置される。
【００１４】
別の側面では、本発明は、気体フローを調節して前記気体フローに関連する圧力変化率の測定を改善する方法から構成される。この方法は、内部体積に特長付けられた内部部分と前記気体フローを受け取る入口ポートとを有する測定チャンバを提供するステップを含む。この方法は、更に、前記測定チャンバの前記内部部分の中の圧力を感知して、前記測定チャンバの中の圧力に対応する圧力信号を生じるステップを含む。この方法は、更に、前記圧力信号をあるサンプリング周波数でサンプリングし、フィルタリングして、サンプリングされた圧力信号を生じ、前記サンプリングされた圧力信号の時間導関数を計算するステップを含む。この方法は、更に、前記入口ポート配置された入口ダンパを介して前記気体フローを減衰し、前記気体フローは前記入口ポートを通過する前に少なくとも部分的にはこの入口ダンパを通過して前記測定チャンバの中へ流れるように構成され調整されており、前記気体フローの１又は複数の特性を前記入口ダンパの両端の間の圧力低下の関数としてダンパ伝達関数に従って修正するステップを含む。この方法は、更に、前記測定チャンバの中の圧力の変動に関連する周波数を前記サンプリング周波数の所定の分数に制限するように、前記内部体積と前記ダンパ伝達関数とを選択するステップを含む。
【００１５】
別の実施例は、前記圧力センサを前記測定チャンバの前記内部部分の中に配置するステップを更に含む。
別の実施例は、前記圧力センサを前記入口ポートに配置するステップを更に含み、よって、前記圧力センサが入口フロー圧力に対応する圧力信号を生じるようにする。
【００１６】
別の実施例は、（ｉ）前記入口ダンパの両端での圧力低下と（ｉｉ）前記入口ダンパを通過する気体フローとの間の線形の関係を記述するダンパ伝達関数を提供するステップを更に含む。
【００１７】
別の実施例は、（ｉ）前記入口ダンパの両端での圧力低下と（ｉｉ）前記入口ダンパを通過する気体フローとの間の非線形の関係を記述するダンパ伝達関数を提供するステップを更に含む。
【００１８】
別の実施例は、前記測定チャンバの中の圧力変動に関連する周波数を前記サンプリングされた圧力信号の時間導関数を計算する信号プロセッサと関連する性能限度に対応するサンプリング周波数の所定の分数に制限するように、前記内部体積と前記ダンパ伝達関数とを選択するステップを更に含む。
【００１９】
別の実施例は、前記測定チャンバの中の圧力変動に関連する周波数を前記サンプリング周波数の約０．４のサンプリング周波数の所定の分数に制限するように、前記内部体積と前記ダンパ伝達関数とを選択するステップを更に含む。
【００２０】
別の実施例は、前記入口ポートを通過する気体フローを測定し前記入口ポートを通過する気体フローに対応するフロー信号を生じるステップを更に含む。この実施例は、前記測定チャンバ上に、出口気体フローを通過させる出口気体フローを提供するステップと、前記フロー信号を前記サンプリングされた圧力信号の時間導関数と組み合わせて前記出口気体フローの評価を生じるステップと、を含む。この実施例は、前記出口ポートにおける前記出口気体フローを前記評価の関数として制御して、実質的に一定の出口気体フローを生じるステップを更に含む。
【００２１】
別の実施例は、前記ダンパを前記フロー・センサの前に配置するステップを更に含む。
別の実施例は、前記ダンパを前記フロー・センサの後であり前記圧力センサの前に配置するステップを更に含む。
【発明を実施するための最良の形態】
【００２２】
本発明それ自体に加え本発明の上述した及びそれ以外の目的や様々な特徴は、以下の説明を添付の図面と共に読むことによってより完全に理解されるはずである。
図３は、気体フローを調節してその気体フローに関連する圧力変化率の測定を改善する装置１００の好適実施例のブロック図を示している。装置１００は、測定チャンバ１０２と、圧力センサ１０４と、信号プロセッサ１０６と、入口ダンパ１０８とを含む。測定チャンバ１０２は、内部部分を含み、この内部部分のサイズは、内部体積Ｖによって定義される。測定チャンバ１０２は、また、貯留槽１１４から気体フロー１１２を受け取る入口ポート１１０を含む。
【００２３】
圧力センサ１０４は、測定チャンバ１０２の内部部分の中の圧力を感知して、測定チャンバ１０２の内部部分の中の圧力に対応する圧力信号１１６を生じる。ある実施例では、圧力センサ１０４は、測定チャンバ１０２の外部に位置しており（図３に示されているように測定チャンバの外部に付着しているか、又は、測定チャンバから物理的に離間しているか、のいずれかである）、アクセス・ポート１１８を介して内部部分にアクセスする。別の実施例では、圧力センサの全体が、測定チャンバ１０２の内部部分の中に配置され、関連する圧力信号１１６は、ワイヤを介して、又は、この技術分野において公知である何らかのそれ以外の通信技術を用いてチャンバ１０２の外部と通信する。更に他の実施例では、圧力センサ１０４が、チャンバ１０２の僅かに内側又は僅かに外側の位置で入口ポート１１０に配置されることもあり、それにより、圧力センサ１０４は入口の圧力に対応する圧力信号を提供する。
【００２４】
信号プロセッサ１０６は、最適なデジタル微分器を実装している。信号プロセッサ１０６は、圧力信号を受け取り、次に、それを所定のサンプリング速度でサンプリングする。特定の実施例において用いられるサンプリング速度は、システムの所望のコスト及び複雑さや、予測される最も高い圧力変動周波数や、信号プロセッサ１０６において用いられている特定の処理コンポーネントなどに左右される。信号プロセッサ１０６は、サンプリングされた圧力信号を最適なデジタル・フィルタを用いてフィルタリングする。信号プロセッサ１０６は、次に、サンプリングされた圧力信号の時間に関する導関数を計算する。
【００２５】
入口ダンパ１０８は入口ポート１１０に配置されているので、貯留槽１１４からチャンバ１０２の中への気体フロー１１２は、入口ダンパ１０８を通過する。図３に示された実施例では、入口ダンパ１０８は、入口ポート１１０のすぐ内側に配置されている。他の実施例では、入口ダンパ１０８は、気体フロー１１２の少なくとも一部が入口ダンパ１０８を通過する限り、入口ポート１１０の僅かに内側か、僅かに外側か、又は、僅かに部分的に入口ポート１１０の中におかれることがある。入口ダンパ１０８は、気体フロー１１２の１又は複数の特性を、ダンパ伝達関数Ｈに従って、入口ダンパ１０８の両端の圧力低下の関数として修正するように構成及び調整される。ある実施例では、入口ダンパ１０８は、伝達関数Ｈが一定になるように、つまり、入口ダンパ１０８を流れる気体フローＱｉが入口ダンパ１０８の両端の間での圧力低下に関して線形となるように、選択される。すなわち、Ｐを入口ダンパ１０８のチャンバ側の端部における圧力とし、Ｐｉを入口ダンパ１０８の貯留槽側の端部における圧力とし、Ｃを入口ダンパ１０８のコンダクタンスとしたときに、次の数式３の関係が成り立つということである。
【００２６】
【数３】
0004703558.tif 000004
【００２７】
他の実施例では、伝達関数Ｈが非線形関数である場合もある。そのように非線形となるのは、非チョーク・フロー（non-choked flow）がオリフィス（開口部）を通過する場合などである。
数式３によって記述されるダンパを有する実施例では、チャンバ圧力Ｐの時間変化は、次の数式４で示すように、数式３を数式１に代入することによって与えられる。
【００２８】
【数４】
0004703558.tif 000005
【００２９】
入口圧力Ｐｉのステップ状の変化については、数式４の方程式は次の解を有する。
【００３０】
【数５】
0004703558.tif 000006
【００３１】
ここで、Ｐ０は初期圧力であり、Ｐｆは最終圧力であり、τ＝Ｖ／（ＣＰＳＴＰ）はシステム１００に関連する自然時定数である。図４には、入口での圧力Ｐｉのステップ変化とチャンバ１０２の中の圧力Ｐとの両方について、縦軸を圧力とし横軸を時間とするグラフが示されている。図４は、数式３に従って振る舞う減衰装置（ダンパ）が急速な圧力変化をどのように減衰（ダンプ）させるかを図解している。時定数τ、すなわち、チャンバ圧力Ｐの減衰された応答は、（ｉ）チャンバ体積Ｖと（ｉｉ）ダンパのコンダクタンスＣとの関数である。これら２つのパラメータＶ及びＣは、デジタル微分器の遮断周波数よりも高いチャンバ圧力変動における周波数成分を実質的に削減又は除去するように、調整することが可能である。
【００３２】
圧力変動ｄＰ／ｄｔは、次の数式６のようにフーリエ級数で表現することができる。
【００３３】
【数６】
0004703558.tif 000007
【００３４】
フーリエ係数Ａｎは、数式５から次のように導くことができる。
【００３５】
【数７】
0004703558.tif 000008
【００３６】
フーリエ係数Ａｎに対して制約条件が与えられると、数式７を用いてτを求めることができる。ここで例として、サンプリング周波数が１ｋＨｚであり、ここで説明している最適なデジタル微分方式を用いて圧力センサからのサンプリングされた圧力信号を処理する場合を考察する。最適な微分器の性能ロールオフを与えるためには、サンプリング周波数の３０％を超える圧力変動のすべての周波数成分は０．１％よりも小さいことが望まれる。換言すると、３００Ｈｚの周波数を超えるすべての振幅Ａｎは、１ｘ１０−３よりも下に維持されることが好ましい。最大のωを１８８５ｒａｄ／ｓｅｃとして、Ａｎ＝１ｘ１０−３とすると、結果的に、τはほぼ２０ｍｓｅｃとなる。従って、ダンパのコンダクタンスＣか、測定チャンバの体積Ｖかのいずれか、又は、その両方を操作することにより、τがほぼ２０ｍｓｅｃである結果として、３００Ｈｚよりも大きなチャンバの中の圧力変動の周波数成分を１ｘ１０−３よりも小さく押さえることができる。
【００３７】
図５に示された実施例では、装置１００は、更に、測定チャンバ１０２の入口にフロー・センサ１３０を含む。フロー・センサ１３０は、チャンバ１０２の中への気体の流率を測定して、その流率に対応するフロー信号１３２を信号プロセッサ１０６に提供する。この実施例は、また、チャンバ１０２からの出口気体フローを許容する出口ポート１３４と、出口ポート１３４にあり出口気体フロー１３６を制御する弁１３８とを含む。信号プロセッサ１０６は、フロー・センサ１３０からのフロー信号１３２と、信号プロセッサ１０６が圧力信号１１６から導く時間導関数とを組み合わせ、その組合せから出口気体フロー１３６の評価値を計算する。信号プロセッサ１０６は、数式１を用い、変数Ｑ（ｔ）の代わりに［Ｑｉｎ（ｔ）−Ｑｏｕｔ（ｔ）］を代入することによって、その評価値を計算する。信号プロセッサ１０６は、Ｑｉｎ（ｔ）に対してフロー・センサ１３０の出力を用い、Ｑｏｕｔ（ｔ）を求める。この実施例に関する追加的な詳細は、「Apparatus and Method for Pressure Fluctuation Insensitive Mass Flow Control」と題する同時出願中の米国特許出願第１０／１７８、７２１号に記載がある。図５に示された実施例では、ダンパ１０８は、フロー・センサ１３０に先だって置かれている。すなわち、貯留槽１１４からの入口気体フロー１１２は、フロー・センサ１３０に到達する前にダンパ１０８を通過する。他の実施例では、ダンパ１０８は、フロー・センサ１３０の後に置くことも可能であり、その場合には、フロー・センサ１３０ではなくて圧力センサ１０４だけが結果的な減衰効果を経験することになる。
【００３８】
本発明は、その精神すなわち本質的な特徴から逸脱することなく、これ以外の形式で実現することも可能である。従って、以上の実施例は、例示的であって制限的ではないと考えられるべきであり、本発明の範囲は、これまでの実施例の説明によってではなく、暴投の特許請求の範囲によって定められるものである。従って、特許請求の範囲の均等の意味及び範囲に属するすべての変更は、従って、特許請求の範囲に含まれるものである。
【図面の簡単な説明】
【００３９】
【図１】従来技術による圧力測定システムのブロック図を示している。
【図２】より高い周波数における従来技術によるデジタル微分器のロールオフ性能を示す。
【図３】気体フローを調節してその気体フローに関連する圧力変化率の測定を改善する装置の好適実施例のブロック図を示している。
【図４】図３に示されているダンパが急速な圧力変化をどのように減衰するのかを図解している。
【図５】入口及び出口ポートにフロー・センサを有している図３の装置の実施例を示している。
【図１】
0004703558.tif 000009
【図２】
0004703558.tif 000010
【図３】
0004703558.tif 000011
【図４】
0004703558.tif 000012
【図５】
0004703558.tif 000013